(57)【要約】【課題】光接続箱内で光ファイバコードのコネクタ接続に用いるアダプタを備えた光接続箱において、アダプタの取り付け箇所を適宜変更可能とする技術を提供すること。【解決手段】光ファイバコードの余長を収納する余長トレー５と、光ファイバコード７をコネクタ接続する際に用いるアダプタ３を筐体内に備え、該アダプタ３を取り付けるアダプタ取り付け部９を、該筐体内に形成した光接続箱であって、前記アダプタ３の取り付け箇所を移動可能とすべく、前記アダプタ取り付け部９を複数個所に形成した。【選択図】図１
2015045817.tif 000002
【特許請求の範囲】
【請求項１】
光ファイバコードの余長を収納する余長トレーと、光ファイバコードのコネクタ接続に用いるアダプタを筐体内に備え、該アダプタを取り付けるアダプタ取り付け部を、該筐体内に形成した光接続箱であって、
前記アダプタの取り付け箇所を移動可能とすべく、前記アダプタ取り付け部を複数個所に形成したことを特徴とする光接続箱。
【請求項２】
前記アダプタ取り付け部を、前記筐体の開口部付近と、該開口部より奥まった箇所の双方に形成したことを特徴とする請求項１記載の光接続箱。
【請求項３】
前記双方のアダプタ取り付け部を、何れも、前記余長トレーの出線口の延長線上に形成したことを特徴とする請求項２記載の光接続箱。
【請求項４】
前記アダプタ取り付け部は、アダプタの取り付け作業時にアダプタを嵌め込むアダプタ嵌合孔と、前記アダプタ嵌合孔からスライドさせたアダプタを、アダプタ取り付け位置に保持するアダプタ保持孔を有し、
前記スライド方向が、前記余長トレーの出線口の延長線と直交する方向となるように、前記アダプタ嵌合孔とアダプタ保持孔を配置したことを特徴とする請求項３記載の光接続箱。
【発明の詳細な説明】
【技術分野】
【０００１】
本発明は、光ファイバコードを接続して収納する光接続箱に関するものである。
【背景技術】
【０００２】
光接続箱内で光ファイバコードを接続する手段として、融着接続（放電加熱により光ファイバコード端面を溶かして光ファイバコード同志を接続する方法）とコネクタ接続（光ファイバコードの端に取り付けたコネクタ同志を、アダプタを介して突き合わせる方法）がある。
【０００３】
前記のコネクタ接続に用いるアダプタを、光接続箱内に配置する構造として、アダプタを光接続箱内の筐体開口部付近に取り付けて、筐体カバーを取り外すことなく筐体外部からコネクタの脱着を可能とした構造（例えば、特許文献１の[図１]）の他、アダプタを光接続箱内の筐体開口部より奥まった箇所に取り付けて、コネクタの脱着を行うためには、まず筐体カバーの取り外しを必要とした構造（例えば、特許文献２の[図１２]）が開示されている。
【０００４】
特許文献１のようにアダプタを光接続箱内の筐体開口部付近に取り付ける構造では、アダプタへのアクセスが容易であるため、コネクタ着脱作業の作業性が向上するという利点がある。また、特許文献２のようにアダプタを光接続箱内の筐体開口部より奥まった箇所に取り付ける構造では、アダプタへのアクセスが制限されるためセキュリティー性を高めることができるという利点がある。
【０００５】
しかし、従来は、光接続箱の設置前に上記何れかの使用を選択する必要があり、例えば、光接続箱の設置後に客先で、コネクタ着脱作業の作業性とセキュリティー性との優先順位に変更が生じた場合には、光接続箱自体の変更を余儀なくされるなど、不都合であるという問題があった。
【先行技術文献】
【特許文献】
【０００６】
【特許文献１】特開２００９−１０９７３０号公報
【特許文献２】特開２００３−２４１００４号公報
【発明の概要】
【発明が解決しようとする課題】
【０００７】
本発明の目的は前記の問題を解決し、光接続箱内で光ファイバコードのコネクタ接続に用いるアダプタを備えた光接続箱において、アダプタの取り付け箇所を適宜変更可能とする技術を提供することである。
【課題を解決するための手段】
【０００８】
上記課題を解決するためになされた本発明の光接続箱は、光ファイバコードの余長を収納する余長トレーと、光ファイバコードのコネクタ接続に用いるアダプタを筐体内に備え、該アダプタを取り付けるアダプタ取り付け部を、該筐体内に形成した光接続箱であって、前記アダプタの取り付け箇所を移動可能とすべく、前記アダプタ取り付け部を複数個所に形成したことを特徴とするものである。
【０００９】
請求項２記載の発明は、請求項１記載の光接続箱において、前記アダプタ取り付け部を、前記筐体の開口部付近と、該開口部より奥まった箇所の双方に形成したことを特徴とするものである。
【００１０】
請求項３記載の発明は、請求項２記載の光接続箱において、前記双方のアダプタ取り付け部を、何れも、前記余長トレーの出線口の延長線上に形成したことを特徴とするものである。
【００１１】
請求項４記載の発明は、請求項３記載の光接続箱において、前記アダプタ取り付け部は、アダプタの取り付け作業時にアダプタを嵌め込むアダプタ嵌合孔と、前記アダプタ嵌合孔からスライドさせたアダプタを、アダプタ取り付け位置に保持するアダプタ保持孔を有し、前記スライド方向が、前記余長トレーの出線口の延長線と直交する方向となるように、前記アダプタ嵌合孔とアダプタ保持孔を配置したことを特徴とするものである。
【発明の効果】
【００１２】
本発明では、光ファイバコードの余長を収納する余長トレーと、光ファイバコードのコネクタ接続に用いるアダプタを筐体内に備え、該アダプタを取り付けるアダプタ取り付け部を、該筐体内に形成した光接続箱において、前記アダプタの取り付け箇所を移動可能とすべく、前記アダプタ取り付け部を複数個所に形成しているため、必要に応じてアダプタの取り付け箇所を適宜変更して使用することができる。すなわち、本発明によれば、アダプタの取り付け箇所に変更の必要が生じた際、光接続箱自体の変更という手段によらず、簡単に対応することができる。
【００１３】
請求項２記載の発明のように、前記アダプタ取り付け部を、前記筐体の開口部付近と、該開口部より奥まった箇所の双方に形成することにより、例えば、コネクタ着脱作業の作業性を優先したい場合には、筐体の開口部付近のアダプタ取り付け部を使用し、セキュリティー性を優先したい場合には、開口部より奥まった箇所のアダプタ取り付け部を使用するなど、適宜自在に変更することができる。
【００１４】
請求項３記載の発明のように、前記双方のアダプタ取り付け部を、何れも、前記余長トレーの出線口の延長線上に形成することにより、何れのアダプタ取り付け部を使用する場合であっても、余長トレーの位置変更を伴わずに光コードの許容曲げ半径を確保して、アダプタを取り付けることができる。
【００１５】
請求項４記載の発明は、請求項３記載の光接続箱において、前記アダプタ取り付け部は、アダプタの取り付け作業時にアダプタを嵌め込むアダプタ嵌合孔と、前記アダプタ嵌合孔からスライドさせたアダプタを、アダプタ取り付け位置に保持するアダプタ保持孔を有し、前記スライド方向が、前記余長トレーの出線口の延長線と直交する方向となるように、前記アダプタ嵌合孔とアダプタ保持孔を配置することにより、アダプタへのコネクタ着脱作業時に、誤ってアダプタがアダプタ取り付け部から外れてしまう事故を確実に回避することができる。
【図面の簡単な説明】
【００１６】
【図１】光接続箱から筐体カバーを取り外した状態の全体斜視図である。
【図２】図１の上面図である。
【図３】光接続箱から筐体カバーを取り外した状態の全体斜視図である。
【図４】光接続箱の全体斜視図である。
【図５】光接続箱から筐体カバーを取り外した状態の全体斜視図である。
【図６】光接続箱から筐体カバーを取り外した状態の全体斜視図である。
【図７】光接続箱の全体斜視図である。
【図８】アダプタの全体斜視図である。
【発明を実施するための形態】
【００１７】
以下に本発明の好ましい実施形態を示す。
【００１８】
図１、図２に示すように、筐体内には、外部から引き込まれる光ケーブルを固定するケーブルクランプ１と、光ケーブル内に収納された光ファイバコードや光ファイバ心線が引き込まれるトレー２と光ファイバコードのコネクタ接続に用いるアダプタ３を備えている。
【００１９】
本実施形態では、図１に示すように、トレー２を２段に積層し、上段のトレーを、光ファイバコード同志を融着接続した融着接続部を保持する融着トレー４として使用し、下段のトレーを、光ファイバコードや光ファイバ心線の余長を収納する余長トレー５として使用している。
【００２０】
外部から引き込まれる光ケーブルは、ケーブルクランプ１を経て、光ファイバコードとして融着トレー４に引き込まれて融着接続された後、余長トレー５で巻き取られ、その後、余長トレー５の出線口６から出線される。
【００２１】
出線口６から引き出された光ファイバコード７は、端に取り付けたコネクタを、図２に示すように、アダプタ３に差し込んでコネクタ接続される。
【００２２】
アダプタ３は、筐体の基板８上に形成したアダプタ取り付け部９に、着脱自在に取り付けられている。
【００２３】
本実施形態では、アダプタ取り付け部９を合計４か所形成し、必要に応じてアダプタの取り付け箇所を適宜変更して使用することができる構造としている。具体的には、図１、図３に示すように、筐体の開口部１０付近のアダプタ取り付け部９を使用した場合、図４に示すように、筐体カバー１１を取り外すことなく筐体外部からコネクタの脱着作業を行うことができ、アダプタ３へのアクセスが容易になるため、コネクタ着脱作業の作業性を向上させることができる。一方、図５、図６に示すように、開口部１０より奥まった箇所のアダプタ取り付け部９を使用した場合、図７に示すように、コネクタの脱着を行うためには、まず筐体カバー１１の取り外しが必要となり、アダプタ３へのアクセスが制限されるため、セキュリティー性を高めることができる。
【００２４】
前記４か所のアダプタ取り付け部９は、何れも、余長トレー５の出線口６の延長線上、すなわち、光ファイバコード７の許容曲げ半径内に収まる位置に形成されているため、何れのアダプタ取り付け部９を使用する場合であっても、余長トレー５の位置変更を伴わずに光ファイバコード７の許容曲げ半径を確保することができる。他の実施形態として、アダプタ３の位置変更に際し、アダプタ３の取り外しが不要となるように、全てのアダプタ取り付け部９を、連通孔で繋げた構成とすることもできる。
【００２５】
図８に示すように、本実施形態のアダプタ３は、コネクタを接続するコネクタ口１２が複数形成され、底面には、アダプタ取り付け部９に取り付けるための下側係合部１３が形成されている。下側係合部１３は、脚部１４と突起部１５からなり、脚部１４は、基板８への取付時に、アダプタ３の前後方向及び上下方向への移動を防げるように保持する機能を有し、突起部１５は、基板８への取付時に、アダプタ３の左右方向への移動を防げるように保持する機能を有している。突起部１５は突起方向に撓むように形成され、基板８への取付時に、突起部は内側に撓んだ状態でスライドされ、基板に形成された突起部取付孔１６に嵌合して係止される。
【００２６】
アダプタ取り付け部９は、アダプタ３の取り付け作業時に脚部１４と嵌め込むアダプタ嵌合孔１７と、アダプタ嵌合孔１７からスライドさせた脚部１４をアダプタ３取り付け位置に保持するアダプタ保持孔１８を有し、前記スライド方向が、前記余長トレーの出線口の延長線と直交する方向となるように、前記アダプタ嵌合孔とアダプタ保持孔を配置しているため、アダプタへのコネクタ着脱作業時に加わる力によって、アダプタがアダプタ取り付け部から外れてしまう事故を確実に回避することができる。
【００２７】
上記実施形態では、筐体の基板８上にアダプタ取り付け部９を形成しているが、筐体本体に直接形成することもできる。
【符号の説明】
【００２８】
１  ケーブルクランプ
２  トレー
３  アダプタ
４  融着トレー
５  余長トレー
６  出線口
７  光ファイバコード
８  基板
９  アダプタ取り付け部
１０  開口部
１１  筐体カバー
１２  コネクタ口
１３  下側係合部
１４  脚部
１５  突起部
１６  突起部取付孔
１７  アダプタ嵌合孔
１８  アダプタ保持孔
【図１】
2015045817.tif 000003
【図２】
2015045817.tif 000004
【図３】
2015045817.tif 000005
【図４】
2015045817.tif 000006
【図５】
2015045817.tif 000007
【図６】
2015045817.tif 000008
【図７】
2015045817.tif 000009
【図８】
2015045817.tif 000010